(57)【要約】      （修正有）【課題】足裏部位に空気を流動させることで足部の異臭を除去する靴底の通気構造を提供する。【解決手段】靴底の通気構造は、靴底１と、靴底１に設けられる第１逆止弁２及び第２逆止弁３を主に含む。当該靴底１の踵部位１２には中空状の空気室１３が設けられており、空気室１３は、アウトソールから下向きに延伸して適切な高さをなす凸部となっている。当該第１逆止弁２は空気室１３の側辺に設けられるとともに、空気室１３の側辺から突出している。当該第２逆止弁３は靴底１の踵部位１２と足裏部位１１の間に設けられる。靴を履いて走行する際には、靴を持ち上げることで外気が第１逆止弁２から空気室１３に進入する一方、踏み入れ時には空気室１３が押圧されることで、第２逆止弁３により逆止的な空気導入作用が奏される。これにより、空気室１３内の空気が前縁の足裏部位１１に流れ、通気効果が得られる。【選択図】図１
0003214099.tif 000002
【実用新案登録請求の範囲】
【請求項１】
靴底と、第１逆止弁及び第２逆止弁を含む靴底の通気構造であって、
当該靴底は足裏部位と踵部位を含み、靴底前縁の足裏部位には間隔を置いて配列された複数のリブが設けられ、当該踵部位には中空状の空気室が設けられ、当該第１逆止弁は空気室の側辺に設けられるとともに、空気室の側辺から外側に突出しており、当該第２逆止弁は踵部位と足裏部位の間に設けられ、靴を履いて走行する際に、足を持ち上げることで外気が第１逆止弁から空気室に進入する一方、踏み込み時に空気室が抑圧されて空気室内の空気が第２逆止弁から足裏部位に放出され、且つ、靴を履いて走行する際の快適性を増すとともに足部の異臭を除去するよう、第１逆止弁と第２逆止弁による逆止的な空気案内作用によって外気を絶えず取り込む構造。
【請求項２】
当該靴底の空気室と足裏部位の間は壁面により隔離されており、当該第２逆止弁は当該壁面に設けられる請求項１記載の靴底の通気構造。
【請求項３】
当該第１逆止弁及び第２逆止弁は、ベース、固定部材及びフィルタ部材を含み、当該ベースには、管状の嵌合部と、嵌合部から延伸して小径をなす開口部が設けられ、嵌合部の内縁には複数の突柱が設けられ、
当該固定部材はベースの嵌合部が嵌設される管状をなし、当該固定部材の嵌設端には垣部が設けられ、垣部の内縁にはやや高くなった開口部が設けられ、ベースの突柱と当該開口部の間に当止片が装入された後、固定部材がベースの嵌合部に嵌設及び固定され、当止片が突柱に支持されることで、外気が固定部材から進入してベースの開口部から放出されるか、或いは、当止片が固定部材の開口部に張り付くことで空気の逆流が阻まれる請求項１記載の靴底の通気構造。
【請求項４】
当該第１逆止弁及び第２逆止弁は、ベースの嵌合部における下端内縁に円環突出リブ状の係合部が設けられ、当該固定部材は、嵌設端の外縁にベースの係合部に対応する係合溝が設けられ、係合部と係合溝が係合することで、固定部材がベースの嵌合部に嵌設及び固定される請求項３記載の靴底の通気構造。
【請求項５】
ベースの突柱と開口部の間に装入される当止片は、軟性フィルムである請求項３記載の靴底の通気構造。
【請求項６】
当該靴底の踵部位における空気室は、空気室の押入面積を増加させることで空気圧縮効果が向上するよう、下向きに延伸して適切な高さをなす凸部である請求項１記載の靴底の通気構造。
【請求項７】
靴を履いて走行する際に歪みが生じず安定性が増すよう、当該凸部は前縁が低く後縁が高く設定されており、且つ、当該凸部の垂直面から水平面にかけての角は適切な円弧に設定されている請求項６記載の靴底の通気構造。
【請求項８】
当該凸部の前縁と後縁の高さは、３：５の比率であることが好ましい請求項６記載の靴底の通気構造。
【請求項９】
当該凸部の前縁と後縁の高さは、４：６の比率であることが好ましい請求項６記載の靴底の通気構造。
【考案の詳細な説明】
【技術分野】
【０００１】
本考案は靴底の通気構造に関し、特に、靴を履いて走行する際に、足裏部位に空気を流動させることで足部の異臭を除去するとの目的が達せられる靴底の通気構造に関する。
【背景技術】
【０００２】
一般的な靴は、アウトソール、インソール、アッパー等から構成されているが、装着時に靴全体で足部を覆うため、僅かな通気孔があるほかは、全体的にほぼ通気しない状態となってしまう。そのため、長時間履いていると往々にして異臭が発生し、靴を脱いで室内に上がらねばならない場合に他人に不快な思いをさせることになる。また、深刻な場合には白癬といった皮膚病を招来することにもなり、衛生面でのニーズを満たしているとはいえない。靴によっては通気機能を強化したものもあるが、走行時に靴内部で空気を流動させられるわけではないため、異臭除去効果にはかなりの限界があり、特に、靴を脱ぐ際の異臭は防止できない。また、こうした靴は空気室を押圧することで靴内部を通気させる構成のため、通気の改善としては限界があるほか、空気室の突出構造が増えるに伴い走行時に不安定となってしまう。これらもまた、靴メーカーにとっては早急に改良を要する課題である。出願人はこれらに鑑みて、研究と実験を重ねた結果、足裏部位に空気を流動させることで足部の異臭を除去するとの目的が達せられる靴底の通気構造を設計した。
【考案の概要】
【考案が解決しようとする課題】
【０００３】
本考案は、靴を履いて走行する際に、足裏部位に空気を流動させることで足部の異臭を除去するとの目的が達せられるとともに、走行時の歪みがなく、安定性が増す靴底の通気構造を提供することを主たる目的とする。
【課題を解決するための手段】
【０００４】
前記靴底の通気構造は、靴底と、靴底に設けられる第１逆止弁及び第２逆止弁を主に含む。当該靴底の踵部位には中空状の空気室が設けられている。当該第１逆止弁は空気室の側辺に設けられるとともに、空気室の側辺から突出している。また、当該第２逆止弁は靴底の踵部位と足裏部位の間に設けられる。靴を履いて走行する際には、靴を持ち上げることで外気が第１逆止弁から空気室に進入する一方、踏み入れ時に空気室が押圧されることで、第２逆止弁によって逆止的な空気案内作用が奏される。これにより、空気室内の空気が前縁の足裏部位に流れ、通気効果が得られることから、足部の異臭を除去するとの目的が達せられる。
【０００５】
前述靴底の通気構造において、靴底の踵部位の空気室は、靴底から下向きに延伸して適切な高さをなす凸部となっている。当該凸部は前縁が低く後縁が高く設定されており、且つ、当該凸部の垂直面から水平面にかけての角は適切な円弧に設定されている。そのため、空気室の押入面積が増加して空気圧縮効果が向上するほか、靴を履いて走行する際に歪みが生じず、安定性が増す。
【０００６】
前述靴底の通気構造において、当該第１逆止弁及び第２逆止弁は、ベース、固定部材及びフィルタ部材を含む。当該ベースには、嵌合部と、嵌合部から延伸する開口部が設けられ、嵌合部の内縁には突柱が設けられる。当該固定部材はベースに嵌設され、当該固定部材の嵌設端にはやや高くなった開口部が設けられる。ベースの突柱と当該開口部の間には当止片が設けられ、当止片が突柱に支持されることで、空気が固定部材から進入してベースの開口部から放出される。或いは、当止片が固定部材の開口部に張り付くことで空気の逆流が妨げられる。当該フィルタ部材は固定部材に嵌設され、一端にフィルタが設けられる。
【考案の効果】
【０００７】
靴底のうち踵の空気室ユニット及び踵部位と足裏部位の間に通気構造を設けることで、靴を履いて走行する際に、通気構造による逆止作用で外気が絶えず取り込まれ、前縁の足裏部位に空気が流れることから、通気作用が達せられる。
【図面の簡単な説明】
【０００８】
【図１】図１は、本考案の斜視図である。
【図２】図２は、本考案における空気室の断面図である。
【図３】図３は、本考案における凸部の構造図である。
【図４】図４は、本考案における逆止弁の分解斜視図である。
【図５】図５は、本考案における逆止弁の斜視図である。
【図６】図６は、本考案における逆止弁の断面図である。
【図７】図７は、本考案における逆止弁の動作状態図である。
【図８】図８は、本考案における逆止弁の他の動作状態図である。
【考案を実施するための形態】
【０００９】
図１及び図２に図３を組み合わせて参照する。これらは、本考案の斜視図、空気室の断面図及び凸部の構造図である。図示するように、本考案は、靴底１と、第１逆止弁２及び第２逆止弁３を含む。当該靴底１は、足裏部位１１及び踵部位１２を含む。靴底１前縁の足裏部位１１には間隔を置いて配列された複数のリブ１１１が設けられており、当該踵部位１２には中空状の空気室１３が設けられている。また、踵部位１２の底縁には、適切な高さの凸部１４が設けられている。本実施例において、当該凸部１４は前縁が低く、後縁が高くなっている。
【００１０】
当該第１逆止弁２は空気室１３の側辺に設けられており、空気室１３の側辺から外側に突出している。当該第２逆止弁３は踵部位１２と足裏部位１１の間に設けられている。空気室１３と足裏部位１１の間は壁面１５により隔離されており、当該第２逆止弁３は当該壁面１５に設けられている。
【００１１】
当該凸部１４は前縁が低く後縁が高い形状となっている。また、垂直面１４１から水平面１４２にかけての角がそれぞれ適切な角度をなす円弧１４３，１４４となっている。そのため、靴を履いて走行する際に、当該凸部１４の前側が低く後側が高い設計に起因して、地面をより安定的に踏み込むことが可能となるほか、円弧１４３，１４４の設計に起因して、踏み込み時の押入面積が増加するため、空気室１３に対する空気圧縮効果が向上する。ここで、凸部１４の前縁Ａは低く、後縁Ｂは高く設定されているが、好ましい実施例において、前縁と後縁の比率は３：５又は４：６とすることが好ましい。即ち、前縁が１８ｍｍであれば後縁は３０ｍｍとなる。或いは、前縁が１６ｍｍであれば後縁は２４ｍｍとなる。よって、使用者が靴を履いて走行する場合、前方への踏み出しや上方への持ち上げのいずれにおいても地面を安定して踏み込むことができる。
【００１２】
上記の部材を組み合わせることで、靴底の通気構造が構成される。靴を履いて走行する際、足を持ち上げることで外気が第１逆止弁２から空気室１３に進入する一方、踏み込み時に空気室１３が押圧されることで空気室１３内の空気が第２逆止弁３から足裏部位１１に放出される。また、第１逆止弁２及び第２逆止弁３による逆止的な空気案内作用によって（空気は外部から第１逆止弁２を経由して空気室１３に進入するが、逆方向には放出されない。同様に、空気室１３内の空気は第２逆止弁３から足裏部位１１に進入するが、逆方向には放出されない）、まるで呼吸する靴であるかのように絶えず外気が取り込まれる。そのため、靴を履いて走行する際の快適性が増し、更には足部の異臭を除去するとの目的も達せられる。また、踵部位１２の底縁に設けられる凸部１４は、前側が低く後側が高い設計となっているため、走行時にいっそう安定的に地面を踏み込むことが可能となる。且つ、円弧１４３，１４４が設計されていることから踏み込み時の押入面積が増加し、空気圧縮効果が向上する。
【００１３】
図４及び図５に図６を組み合わせて参照する。これらは、本考案における逆止弁の分解斜視図、斜視図及び断面図である。図示するように、本考案の第１逆止弁２及び第２逆止弁３は、ベース２１（３１）、固定部材２２（３２）及びフィルタ部材２３（３３）を含む。当該ベース２１（３１）には、管状の嵌合部２１１（３１１）と、嵌合部２１１（３１１）から延伸して小径をなす開口部２１２（３１２）が設けられる。嵌合部２１１（３１１）の内縁には複数の突柱２１３（３１３）が設けられており、嵌合部２１１（３１１）の下端付近の内縁には、円環突出リブ状の係合部２１４（３１４）が設けられている。
【００１４】
当該固定部材２２（３２）は、ベース２１（３１）の嵌合部２１１（３１１）が嵌設される管状をなしている。当該固定部材２２（３２）の嵌設端には垣部２２１（３２１）が設けられており、垣部２２１（３２１）の内縁にはやや高くなった開口部２２２（３２２）が設けられている。また、嵌設端の外縁には、ベース２１（３１）の係合部２１４（３１４）に対応する係合溝２２３（３２３）が設けられている。ベース２１（３１）の突柱２１３（３１３）と当該開口部２１２（３１２）の間に当止片２４（３４）を装入した後、係合部２１４（３１４）と係合溝２２３（３２３）を係合させることで、固定部材２２（３２）をベース２１（３１）の嵌合部２１１（３１１）に嵌設し、固定する。本実施例において、当該当止片２４（３４）は軟性フィルムである。当止片２４（３４）が突柱２１３（３１３）に支持されることで、空気は固定部材２２（３２）から進入してベース２１（３１）の開口部２１２（３１２）から放出される。或いは、当止片２４（３４）が開口部２１２（３１２）に張り付くことで、空気の逆流が阻まれる。
【００１５】
当該フィルタ部材２３（３３）は管状をなしており、固定部材２２（３２）に嵌設されている。また、一端にはフィルタ２３１（３３１）が設けられている。
【００１６】
本考案における逆止弁の動作状態図である図７を参照する。合わせて図１及び図２を参照すると、図示するように、本考案の第１逆止弁２及び第２逆止弁３の場合、使用時に靴が上げ下げされるに伴って、外気が固定部材２２（３２）からフィルタ部材２３（３３）を経由して進入することで、当止片２４（３４）が突柱２１３（３１３）に支持される。当止片２４（３４）と突柱２１３（３１３）の間には隙間があることから、外気は当該隙間からベース２１（３１）の開口部２１２（３１２）に進入し、続いて開口部２１２（３１２）から放出されて足裏部位１１に向かって流動する。このようにして靴の通気作用が奏されるため、靴装着時の快適性が増すとともに、長時間装着時の異臭発生が回避される。また、外部から進入する空気は、フィルタ部材に設けられたフィルタ２３（３３）によって不純物やほこり等が濾過されるため清潔に保たれる。
【００１７】
本考案における逆止弁の他の動作状態図である図８を参照する。合わせて図１及び図２を参照すると、図示するように、本考案では使用者が靴を履いて走行する際に足を踏み下ろすと、空気室１３が収縮することで内部の空気が押圧される。これにより、当止片２４（３４）が固定部材２２（３２）の開口部２２２（３２２）に張り付き、空気の逆流を遮断する。一方で、外気は常に固定部材２２（３２）から進入し、足裏部位１１に送られるよう維持されるため、空気が逆方向に逃げることで靴の通気作用に影響することがない。
【００１８】
続いて、図２を参照して、前記靴は、靴底１の踵部位１２の底縁に適切な高さの凸部１４が設けられている。当該凸部１４は前縁が低く、後縁が高く設定されており、且つ当該凸部１４の垂直面１４１から水平面１４２にかけての角がそれぞれ適切な角度をなす円弧１４３，１４４となっている。そのため、空気室１３の押入面積が増加し、空気圧縮効果が向上するほか、装着して走行する際に歪みを生じることがなく、安定性が増す。
【００１９】
上記実施例は本考案の好ましい実施形態を説明するものにすぎず、本考案の範囲を制限するものではない。また、若干の追加、変更によって本考案の主旨が損なわれたり、本考案の精神から逸脱したりすることはない。
【００２０】
以上述べたように、本考案では踵部位に空気室が設けられた靴底を用い、当該空気室及び空気室と足裏部位の間に設けられた第１逆止弁及び第２逆止弁を組み合わせることで、靴底の通気構造を構成している。この構造によれば、靴を履いて走行する際に足裏部位において空気流動効果が得られるため、足部の異臭を除去するとの目的が達せられる。これは実用的な設計であり、新規性を有する考案であるため、法に基づき出願する。審査のうえ、早期の権利化をお願い申し上げる。
【符号の説明】
【００２１】
１      靴底
１１    足裏部位
１１１  リブ
１２    踵部位
１３    空気室
１４    凸部
１４１  垂直面
１４２  水平面
１４３  円弧
１４４  円弧
１５    壁面
２      第１逆止弁
２１    ベース
２１１  嵌合部
２１２  開口部
２１３  突柱
２１４  係合部
２２    固定部材
２２１  垣部
２２２  開口部
２２３  係合溝
２３    フィルタ部材
２３１  フィルタ
２４    当止片
３      第１逆止弁
３１    ベース
３１１  嵌合部
３１２  開口部
３１３  突柱
３１４  係合部
３２    固定部材
３２１  垣部
３２２  開口部
３２３  係合溝
３３    フィルタ部材
３３１  フィルタ
３４    当止片  
【図１】
0003214099.tif 000003
【図２】
0003214099.tif 000004
【図３】
0003214099.tif 000005
【図４】
0003214099.tif 000006
【図５】
0003214099.tif 000007
【図６】
0003214099.tif 000008
【図７】
0003214099.tif 000009
【図８】
0003214099.tif 000010
【手続補正書】
【提出日】平成29年10月10日(2017.10.10)
【手続補正１】
【補正対象書類名】明細書
【補正対象項目名】全文
【補正方法】変更
【補正の内容】
【考案の詳細な説明】
【技術分野】
【０００１】
本考案は靴底の通気構造に関し、特に、靴を履いて走行する際に、足裏部位に空気を流動させることで足部の異臭を除去するとの目的が達せられる靴底の通気構造に関する。
【背景技術】
【０００２】
一般的な靴は、アウトソール、インソール、アッパー等から構成されているが、装着時に靴全体で足部を覆うため、僅かな通気孔があるほかは、全体的にほぼ通気しない状態となってしまう。そのため、長時間履いていると往々にして異臭が発生し、靴を脱いで室内に上がらねばならない場合に他人に不快な思いをさせることになる。また、深刻な場合には白癬といった皮膚病を招来することにもなり、衛生面でのニーズを満たしているとはいえない。靴によっては通気機能を強化したものもあるが、走行時に靴内部で空気を流動させられるわけではないため、異臭除去効果にはかなりの限界があり、特に、靴を脱ぐ際の異臭は防止できない。また、こうした靴は空気室を押圧することで靴内部を通気させる構成のため、通気の改善としては限界があるほか、空気室の突出構造が増えるに伴い走行時に不安定となってしまう。これらもまた、靴メーカーにとっては早急に改良を要する課題である。出願人はこれらに鑑みて、研究と実験を重ねた結果、足裏部位に空気を流動させることで足部の異臭を除去するとの目的が達せられる靴底の通気構造を設計した。
【考案の概要】
【考案が解決しようとする課題】
【０００３】
本考案は、靴を履いて走行する際に、足裏部位に空気を流動させることで足部の異臭を除去するとの目的が達せられるとともに、走行時の歪みがなく、安定性が増す靴底の通気構造を提供することを主たる目的とする。
【課題を解決するための手段】
【０００４】
前記靴底の通気構造は、靴底と、靴底に設けられる第１逆止弁及び第２逆止弁を主に含む。当該靴底の踵部位には中空状の空気室が設けられている。当該第１逆止弁は空気室の側辺に設けられるとともに、空気室の側辺から突出している。また、当該第２逆止弁は靴底の踵部位と足裏部位の間に設けられる。靴を履いて走行する際には、靴を持ち上げることで外気が第１逆止弁から空気室に進入する一方、踏み入れ時に空気室が押圧されることで、第２逆止弁によって逆止的な空気案内作用が奏される。これにより、空気室内の空気が前縁の足裏部位に流れ、通気効果が得られることから、足部の異臭を除去するとの目的が達せられる。
【０００５】
前述靴底の通気構造において、靴底の踵部位の空気室は、靴底から下向きに延伸して適切な高さをなす凸部となっている。当該凸部は前縁が低く後縁が高く設定されており、且つ、当該凸部の垂直面から水平面にかけての角は適切な円弧に設定されている。そのため、空気室の押入面積が増加して空気圧縮効果が向上するほか、靴を履いて走行する際に歪みが生じず、安定性が増す。
【０００６】
前述靴底の通気構造において、当該第１逆止弁及び第２逆止弁は、ベース、固定部材及びフィルタ部材を含む。当該ベースには、嵌合部と、嵌合部から延伸する開口部が設けられ、嵌合部の内縁には突柱が設けられる。当該固定部材はベースに嵌設され、当該固定部材の嵌設端にはやや高くなった開口部が設けられる。ベースの突柱と当該開口部の間には当止片が設けられ、当止片が突柱に支持されることで、空気が固定部材から進入してベースの開口部から放出される。或いは、当止片が固定部材の開口部に張り付くことで空気の逆流が妨げられる。当該フィルタ部材は固定部材に嵌設され、一端にフィルタが設けられる。
【考案の効果】
【０００７】
靴底のうち踵の空気室ユニット及び踵部位と足裏部位の間に通気構造を設けることで、靴を履いて走行する際に、通気構造による逆止作用で外気が絶えず取り込まれ、前縁の足裏部位に空気が流れることから、通気作用が達せられる。
【図面の簡単な説明】
【０００８】
【図１】図１は、本考案の斜視図である。
【図２】図２は、本考案における空気室の断面図である。
【図３】図３は、本考案における凸部の構造図である。
【図４】図４は、本考案における逆止弁の分解斜視図である。
【図５】図５は、本考案における逆止弁の斜視図である。
【図６】図６は、本考案における逆止弁の断面図である。
【図７】図７は、本考案における逆止弁の動作状態図である。
【図８】図８は、本考案における逆止弁の他の動作状態図である。
【考案を実施するための形態】
【０００９】
図１及び図２に図３を組み合わせて参照する。これらは、本考案の斜視図、空気室の断面図及び凸部の構造図である。図示するように、本考案は、靴底１と、第１逆止弁３及び第２逆止弁２を含む。当該靴底１は、足裏部位１１及び踵部位１２を含む。靴底１前縁の足裏部位１１には間隔を置いて配列された複数のリブ１１１が設けられており、当該踵部位１２には中空状の空気室１３が設けられている。また、踵部位１２の底縁には、適切な高さの凸部１４が設けられている。本実施例において、当該凸部１４は前縁が低く、後縁が高くなっている。
【００１０】
当該第１逆止弁３は空気室１３の側辺に設けられており、空気室１３の側辺から外側に突出している。当該第２逆止弁２は踵部位１２と足裏部位１１の間に設けられている。空気室１３と足裏部位１１の間は壁面１５により隔離されており、当該第２逆止弁２は当該壁面１５に設けられている。
【００１１】
当該凸部１４は前縁が低く後縁が高い形状となっている。また、垂直面１４１から水平面１４２にかけての角がそれぞれ適切な角度をなす円弧１４３，１４４となっている。そのため、靴を履いて走行する際に、当該凸部１４の前側が低く後側が高い設計に起因して、地面をより安定的に踏み込むことが可能となるほか、円弧１４３，１４４の設計に起因して、踏み込み時の押入面積が増加するため、空気室１３に対する空気圧縮効果が向上する。ここで、凸部１４の前縁Ａは低く、後縁Ｂは高く設定されているが、好ましい実施例において、前縁と後縁の比率は３：５又は４：６とすることが好ましい。即ち、前縁が１８ｍｍであれば後縁は３０ｍｍとなる。或いは、前縁が１６ｍｍであれば後縁は２４ｍｍとなる。よって、使用者が靴を履いて走行する場合、前方への踏み出しや上方への持ち上げのいずれにおいても地面を安定して踏み込むことができる。
【００１２】
上記の部材を組み合わせることで、靴底の通気構造が構成される。靴を履いて走行する際、足を持ち上げることで外気が第１逆止弁３から空気室１３に進入する一方、踏み込み時に空気室１３が押圧されることで空気室１３内の空気が第２逆止弁２から足裏部位１１に放出される。また、第１逆止弁３及び第２逆止弁２による逆止的な空気案内作用によって（空気は外部から第１逆止弁３を経由して空気室１３に進入するが、逆方向には放出されない。同様に、空気室１３内の空気は第２逆止弁２から足裏部位１１に進入するが、逆方向には放出されない）、まるで呼吸する靴であるかのように絶えず外気が取り込まれる。そのため、靴を履いて走行する際の快適性が増し、更には足部の異臭を除去するとの目的も達せられる。また、踵部位１２の底縁に設けられる凸部１４は、前側が低く後側が高い設計となっているため、走行時にいっそう安定的に地面を踏み込むことが可能となる。且つ、円弧１４３，１４４が設計されていることから踏み込み時の押入面積が増加し、空気圧縮効果が向上する。
【００１３】
図４及び図５に図６を組み合わせて参照する。これらは、本考案における逆止弁の分解斜視図、斜視図及び断面図である。図示するように、本考案の第２逆止弁２及び第１逆止弁３は、ベース２１（３１）、固定部材２２（３２）及びフィルタ部材２３（３３）を含む。当該ベース２１（３１）には、管状の嵌合部２１１（３１１）と、嵌合部２１１（３１１）から延伸して小径をなす開口部２１２（３１２）が設けられる。嵌合部２１１（３１１）の内縁には複数の突柱２１３（３１３）が設けられており、嵌合部２１１（３１１）の下端付近の内縁には、円環突出リブ状の係合部２１４（３１４）が設けられている。
【００１４】
当該固定部材２２（３２）は、ベース２１（３１）の嵌合部２１１（３１１）が嵌設される管状をなしている。当該固定部材２２（３２）の嵌設端には垣部２２１（３２１）が設けられており、垣部２２１（３２１）の内縁にはやや高くなった開口部２２２（３２２）が設けられている。また、嵌設端の外縁には、ベース２１（３１）の係合部２１４（３１４）に対応する係合溝２２３（３２３）が設けられている。ベース２１（３１）の突柱２１３（３１３）と当該開口部２１２（３１２）の間に当止片２４（３４）を装入した後、係合部２１４（３１４）と係合溝２２３（３２３）を係合させることで、固定部材２２（３２）をベース２１（３１）の嵌合部２１１（３１１）に嵌設し、固定する。本実施例において、当該当止片２４（３４）は軟性フィルムである。当止片２４（３４）が突柱２１３（３１３）に支持されることで、空気は固定部材２２（３２）から進入してベース２１（３１）の開口部２１２（３１２）から放出される。或いは、当止片２４（３４）が開口部２１２（３１２）に張り付くことで、空気の逆流が阻まれる。
【００１５】
当該フィルタ部材２３（３３）は管状をなしており、固定部材２２（３２）に嵌設されている。また、一端にはフィルタ２３１（３３１）が設けられている。
【００１６】
本考案における逆止弁の動作状態図である図７を参照する。合わせて図１及び図２を参照すると、図示するように、本考案の第２逆止弁２及び第１逆止弁３の場合、使用時に靴が上げ下げされるに伴って、外気が固定部材２２（３２）からフィルタ部材２３（３３）を経由して進入することで、当止片２４（３４）が突柱２１３（３１３）に支持される。当止片２４（３４）と突柱２１３（３１３）の間には隙間があることから、外気は当該隙間からベース２１（３１）の開口部２１２（３１２）に進入し、続いて開口部２１２（３１２）から放出されて足裏部位１１に向かって流動する。このようにして靴の通気作用が奏されるため、靴装着時の快適性が増すとともに、長時間装着時の異臭発生が回避される。また、外部から進入する空気は、フィルタ部材に設けられたフィルタ２３（３３）によって不純物やほこり等が濾過されるため清潔に保たれる。
【００１７】
本考案における逆止弁の他の動作状態図である図８を参照する。合わせて図１及び図２を参照すると、図示するように、本考案では使用者が靴を履いて走行する際に足を踏み下ろすと、空気室１３が収縮することで内部の空気が押圧される。これにより、当止片２４（３４）が固定部材２２（３２）の開口部２２２（３２２）に張り付き、空気の逆流を遮断する。一方で、外気は常に固定部材２２（３２）から進入し、足裏部位１１に送られるよう維持されるため、空気が逆方向に逃げることで靴の通気作用に影響することがない。
【００１８】
続いて、図２を参照して、前記靴は、靴底１の踵部位１２の底縁に適切な高さの凸部１４が設けられている。当該凸部１４は前縁が低く、後縁が高く設定されており、且つ当該凸部１４の垂直面１４１から水平面１４２にかけての角がそれぞれ適切な角度をなす円弧１４３，１４４となっている。そのため、空気室１３の押入面積が増加し、空気圧縮効果が向上するほか、装着して走行する際に歪みを生じることがなく、安定性が増す。
【００１９】
上記実施例は本考案の好ましい実施形態を説明するものにすぎず、本考案の範囲を制限するものではない。また、若干の追加、変更によって本考案の主旨が損なわれたり、本考案の精神から逸脱したりすることはない。
【００２０】
以上述べたように、本考案では踵部位に空気室が設けられた靴底を用い、当該空気室及び空気室と足裏部位の間に設けられた第１逆止弁及び第２逆止弁を組み合わせることで、靴底の通気構造を構成している。この構造によれば、靴を履いて走行する際に足裏部位において空気流動効果が得られるため、足部の異臭を除去するとの目的が達せられる。これは実用的な設計であり、新規性を有する考案であるため、法に基づき出願する。審査のうえ、早期の権利化をお願い申し上げる。
【符号の説明】
【００２１】
１      靴底
１１    足裏部位
１１１  リブ
１２    踵部位
１３    空気室
１４    凸部
１４１  垂直面
１４２  水平面
１４３  円弧
１４４  円弧
１５    壁面
２      第２逆止弁
２１    ベース
２１１  嵌合部
２１２  開口部
２１３  突柱
２１４  係合部
２２    固定部材
２２１  垣部
２２２  開口部
２２３  係合溝
２３    フィルタ部材
２３１  フィルタ
２４    当止片
３      第１逆止弁
３１    ベース
３１１  嵌合部
３１２  開口部
３１３  突柱
３１４  係合部
３２    固定部材
３２１  垣部
３２２  開口部
３２３  係合溝
３３    フィルタ部材
３３１  フィルタ
３４    当止片